(57)【特許請求の範囲】
【請求項１】
映像及び／又は音声の信号を符号化して生成された複数の符号化データを多重化して、記録媒体に記録する記録用データを生成するデータ編集装置において、
映像及び／又は音声の信号を符号化して符号化データを生成する符号化手段と、
上記符号化手段により符号化された符号化データが格納される記憶手段と、
上記記憶手段に格納された符号化データを多重化して上記記録用データを生成する多重化手段と、
多重化の対象となる符号化データについての情報を上記多重化手段に供給し、上記多重化手段による多重化処理を制御する制御手段と、
上記記憶手段に格納された符号化データについての情報を、上記制御手段によって読み出し可能な１以上のファイルに記録して保持する情報保持手段と
を備えるデータ編集装置。
【請求項２】
上記ファイルに記録される情報には、上記記憶手段に格納された符号化データの先頭アドレスと、当該符号化データのサイズと、当該符号化データを生成するときの符号化条件のうち、少なくとも上記多重化手段によって多重化を行うのに必要な情報とが含まれること
を特徴とする請求項１記載のデータ編集装置。
【請求項３】
映像及び／又は音声の信号を符号化して複数の符号化データを生成し、それら複数の符号化データを多重化して、記録媒体に記録する記録用データを生成するデータ編集方法において、
映像及び／又は音声の信号を符号化して符号化データを生成し、生成された符号化データを記憶装置に書き込む符号化工程と、
制御手段による制御に基づいて、上記記憶装置に書き込まれた符号化データを多重化して上記記録用データを生成する多重化工程とを有し、
上記符号化工程では、記憶装置に書き込まれた符号化データについての情報を、上記制御手段によって読み出し可能な１以上のファイルに記録すること
を特徴とするデータ編集方法。
【請求項４】
上記ファイルに記録される情報には、上記記憶装置に書き込まれた符号化データの先頭アドレスと、当該符号化データのサイズと、当該符号化データを生成するときの符号化条件のうち、少なくとも上記多重化を行うのに必要な情報とが含まれること
を特徴とする請求項３記載のデータ編集方法。
【発明の詳細な説明】
【０００１】
【発明の属する技術分野】
本発明は、データ編集装置及びデータ編集方法に関するものであり、例えばＤＶＤと称される光ディスクに対して記録する記録用データを編集して作成するオーサリング装置に適用して好適なものである。
【０００２】
【従来の技術】
近年、映像や音声等の信号を圧縮符号化して記録するものとしてＤＶＤと呼ばれる光ディスクが実用化されている。ＤＶＤに記録される記録用データは、例えば、映像信号と音声信号とをそれぞれＤＶＤ規格に沿って符号化して符号化データを生成し、その後、それらの符号化データをＤＶＤ規格に沿った形式となるように多重化することにより生成される。このように、記録対象となる映像や音声等の信号に対して符号化及び多重化の処理を施して、記録用データを生成する編集作業は一般にオーサリングと呼ばれ、その編集作業に際して使用されるデータ編集装置は一般にオーサリング装置と呼ばれている。
【０００３】
このオーサリング装置は、例えば、映像信号を符号化するビデオエンコーダと、音声信号を符号化するオーディオエンコーダと、これらの各エンコーダにより符号化された各符号化データを多重化して記録用データを生成するマルチプレクサと、マルチプレクサにより多重化され生成された記録用データを磁気テープにダウンロードするテープストリーマーとを備えて構成される。そして、ＤＶＤには、このようなオーサリング装置によって編集され生成された記録用データが記録されることとなる。
【０００４】
【発明が解決しようとする課題】
ところで、オーサリングにおいては、先に行われたオーサリングにおいて既に符号化された符号化データを、別のオーサリングでも使用したいような場合がある。具体的には、例えば、異なる映画がそれぞれ記録される複数の記録用データを作成するにあたって、映画の本編については異なる内容であったとしても、予告編については共通なものとするような場合がある。
【０００５】
このようなときには、各記録用データを生成する毎に予告編の映像や音声の信号を符号化するのではなく、予告編については先に符号化した符号化データを流用できるようにすることが望まれる。これが実現できれば、同じ内容の信号（上述の例では予告編の映像や音声の信号）を何度も符号化するような必要がなくなり、オーサリングに要する時間を短縮することが可能となる。すなわち、実際のオーサリングにおいては、過去のオーサリングにおいて符号化して生成した符号化データを、別のオーサリングにおいても使用したいという要求がある。
【０００６】
本発明は、以上のような従来の実情に鑑みて提案されたものであり、先に行われたオーサリングにおいて生成した符号化データを、別のオーサリングで再利用することが可能であり、オーサリングを非常に効率良く行うことが可能なデータ編集装置及びデータ編集方法を提供することを目的としている。
【０００７】
【課題を解決するための手段】
本発明に係るデータ編集装置は、映像及び／又は音声の信号を符号化して生成された複数の符号化データを多重化して、記録媒体に記録する記録用データを生成するデータ編集装置である。そして、映像及び／又は音声の信号を符号化して符号化データを生成する符号化手段と、上記符号化手段により符号化された符号化データが格納される記憶手段と、上記記憶手段に格納された符号化データを多重化して上記記録用データを生成する多重化手段と、多重化の対象となる符号化データについての情報を上記多重化手段に供給し、上記多重化手段による多重化処理を制御する制御手段と、上記記憶手段に格納された符号化データについての情報を、上記制御手段によって読み出し可能な１以上のファイルに記録して保持する情報保持手段とを備えている。
【０００８】
上記ファイルに記録される情報には、例えば、上記記憶手段に格納された符号化データの先頭アドレスと、当該符号化データのサイズと、当該符号化データを生成するときの符号化条件のうち、少なくとも上記多重化手段によって多重化を行うのに必要な情報とが含まれる。
【０００９】
このデータ編集装置では、情報保持手段によって、記憶手段に格納された符号化データについての情報が、制御手段によって読み出し可能な１以上のファイルに記録して保持される。そして、これらのファイルを必要に応じて制御手段によって読み出すことにより、既に符号化されて記憶手段に格納された符号化データを再利用することが可能となる。
【００１０】
また、本発明に係るデータ編集方法は、映像及び／又は音声の信号を符号化して複数の符号化データを生成し、それら複数の符号化データを多重化して、記録媒体に記録する記録用データを生成するデータ編集方法であり、映像及び／又は音声の信号を符号化して符号化データを生成し、生成された符号化データを記憶装置に書き込む符号化工程と、制御手段による制御に基づいて、上記記憶装置に書き込まれた符号化データを多重化して上記記録用データを生成する多重化工程とを有している。そして、上記符号化工程において、記憶装置に書き込まれた符号化データについての情報を、上記制御手段によって読み出し可能な１以上のファイルに記録することを特徴としている。
【００１１】
上記ファイルに記録される情報には、例えば、上記記憶装置に書き込まれた符号化データの先頭アドレスと、当該符号化データのサイズと、当該符号化データを生成するときの符号化条件のうち、少なくとも上記多重化を行うのに必要な情報とが含まれる。
【００１２】
このデータ編集方法では、記憶装置に書き込まれた符号化データについての情報を、制御手段によって読み出し可能な１以上のファイルに記録するようにしている。したがって、これらのファイルを必要に応じて制御手段によって読み出すことにより、既に符号化されて記憶装置に書き込まれた符号化データを再利用することが可能となる。
【００１３】
【発明の実施の形態】
以下、本発明の実施の形態について、図面を参照しながら詳細に説明する。
【００１４】
まず、本発明に係るデータ編集装置の実施の形態として、映像や音声等の信号を圧縮符号化して多重化することによりＤＶＤ規格に準拠した光ディスクに対して記録する記録用データを生成するオーサリング装置について、図１を参照して説明する。なお、このオーサリング装置によって生成された記録用データは、ＤＶＤの原盤となるスタンパを作製するマスタリング工程を行う装置へと受け渡される。
【００１５】
このオーサリング装置は、映像信号を符号化して符号化データを生成するビデオエンコードシステム１と、音声信号を符号化して符号化データを生成するオーディオエンコードシステム２と、ビデオエンコードシステム１及びオーディオエンコードシステム２によって生成された符号化データ等が記録される記憶装置３と、記憶装置３に記録された符号化データを多重化することによって記録用データを生成するマルチプレクサ４と、生成された記録用データを再生して確認するための再生装置５と、生成された記録用データを磁気テープ等の記録媒体にダウンロードする記録装置６と、このオーサリング装置全体の動作を管理し制御する制御装置７とを備えている。
【００１６】
ビデオエンコードシステム１は、映像信号を圧縮符号化するビデオエンコーダ１ａと、ビデオエンコーダ１ａを制御するビデオエンコーダ制御装置１ｂとを備えている。ビデオエンコーダ制御装置１ｂは、映像信号の符号化に際して必要な各種情報、例えば符号化処理を行う映像信号の本数や符号化データを格納する記憶領域のアドレス情報等をネットワーク８を介して制御装置７から受け、それらの情報に基づいてビデオエンコーダ１ａを制御する。そして、ビデオエンコーダ１ａは、ビデオエンコーダ制御装置１ｂによる制御のもとで、入力された映像信号Ｓ１０をＭＰＥＧ方式に基づいて圧縮符号化し、その結果として生成された映像信号符号化データＳ１１を記憶装置３に格納する。
【００１７】
オーディオエンコードシステム２は、音声信号を圧縮符号化するオーディオエンコーダ２ａと、オーディオエンコーダ２ａを制御するオーディオエンコーダ制御装置２ｂとを備えている。オーディオエンコーダ制御装置２ｂは、音声信号の符号化に際して必要な各種情報、例えば符号化処理を行う音声信号の本数や符号化データを格納する記憶領域のアドレス情報等をネットワーク８を介して制御装置７から受け、それらの情報に基づいてオーディオエンコーダ２ａを制御する。そして、オーディオエンコーダ２ａは、オーディオエンコーダ制御装置２ｂによる制御のもとで、入力された音声信号Ｓ１２をＭＰＥＧ方式又はＡＣ−３方式等に基づいて圧縮符号化し、その結果として生成された音声信号符号化データＳ１３を記憶装置３に格納する。
【００１８】
記憶装置３には、ビデオエンコーダ１ａによって生成された映像信号符号化データＳ１１、オーディオエンコーダ２ａによって生成された音声信号符号化データＳ１３、及びマルチプレクサ４によって多重化され生成された記録用データＳ１４等が格納される。ここで、記憶装置３は、制御装置７による制御に基づいて、ビデオエンコーダ１ａによって生成された映像信号符号化データＳ１１と、オーディオエンコーダ２ａによって生成された音声信号符号化データＳ１３と、マルチプレクサ４によって多重化され生成された記録用データＳ１４とを、それぞれ異なる記憶領域に格納する。すなわち、この記憶装置３は、映像信号符号化データＳ１１、音声信号符号化データＳ１３及び記録用データＳ１４を余裕を持って記憶し得るだけの充分な記憶領域を有している。
【００１９】
この記憶装置３としては、データの読み出しや書き込みが高速に行えるものが好ましく、具体的には、複数の磁気ヘッドを備えており、マルチアクセスが可能なハードディスク装置が好適である。なお、マルチアクセスとは、複数の異なる領域に対して同時に記録や再生を行うことである。すなわち、マルチアクセスが可能なハードディスク装置では、例えば、ハードディスクに対してデータを書き込む処理と、ハードディスクからデータを読み出す処理とを同時に行うことができる。記憶装置３として、このようなマルチアクセスが可能な装置を用いることにより、オーサリングに要する時間を大幅に短縮することができる。
【００２０】
マルチプレクサ４は、ビデオエンコーダ１ａによって符号化された映像信号符号化データＳ１１と、オーディオエンコーダ２ａによって符号化された音声信号符号化データＳ１３とを記憶装置３から読み出し、これらの符号化データＳ１１，Ｓ１３をＤＶＤ規格に則して多重化し、その結果として生成された多重化データを記録用データＳ１４として記憶装置３に書き込む。ここで、マルチプレクサ４は、多重化に際して必要な情報、例えば各符号化データＳ１１，Ｓ１３が格納されている記憶領域のアドレス情報や、多重化して生成した記録用データＳ１４を格納する記憶領域のアドレス情報等をネットワーク８を介して制御装置７から受け、これらの情報を基に多重化処理を実行して多重化データを生成し、当該多重化データを記録用データＳ１４として記憶装置３に書き込む。
【００２１】
再生装置５は、ビューワーと呼ばれるものであり、ビデオエンコーダ１ａ及びオーディオエンコーダ２ａによる符号化処理と、マルチプレクサ４による多重化処理との結果として得られた記録用データＳ１４が、ＤＶＤに記録する記録用データとして適切なものであるか否かを確認するためのものである。この再生装置５は、記憶装置３に格納されている記録用データＳ１４を読み出して復号し、映像や音声を再生する。なお、この再生装置５は、記録用データＳ１４を復号して再生する際に必要な情報、例えば記録用データＳ１４が格納されている領域についてのアドレス情報や復号条件についての情報等を、ネットワーク８を介して制御装置７から受け、これらの情報を基に再生処理を実行する。
【００２２】
記録装置６は、マルチプレクサ４によって多重化され生成された記録用データＳ１４を、マスタリング工程を行う装置へ受け渡すために、当該記録用データＳ１４を持ち運びが可能な記録媒体へ記録するためのものである。この記録装置６は、記録動作に必要な情報、例えば記録用データＳ１４が格納されている領域についてのアドレス情報等をネットワーク８を介して制御装置７から受け、これらの情報を基に記憶装置３に格納されている記録用データＳ１４を読み出して記録媒体に記録する。なお、ＤＶＤの記録容量はギガバイト単位であるため、記録用データＳ１４のデータ量も、ギガバイト単位となることが多い。したがって、この記録装置６としては、ギガバイト単位の大容量のデータを記録することが可能な記録媒体を用いるものであることが好ましい。具体的には、記録容量が大きい磁気テープを記録媒体として使用するテープストリーマーが好適である。
【００２３】
制御装置７は、ビデオエンコードシステム１、オーディオエンコードシステム２、マルチプレクサ４、再生装置５及び記録装置６の動作を制御するとともに、記憶装置３のデータ記憶領域を管理する。この制御装置７は、ビデオエンコードシステム１、オーディオエンコードシステム２、マルチプレクサ４、再生装置５及び記録装置６の制御を行うにあたって、必要に応じて、符号化の対象となる映像信号Ｓ１０についての情報をビデオエンコードシステム１のビデオエンコーダ制御装置１ｂに供給し、また、符号化の対象となる音声信号Ｓ１２についての情報をオーディオエンコードシステム２のオーディオエンコーダ制御装置２ｂに供給し、また、多重化の対象となる各符号化データＳ１１，Ｓ１３についての情報をマルチプレクサ４に供給し、また、再生の対象となる記録用データＳ１４についての情報を再生装置５に供給し、また、ダウンロードの対象となる記録用データＳ１４についての情報を記録装置６に供給する。
【００２４】
また、この制御装置７は記憶装置を備えている。そして、制御装置７は、記憶装置３に格納された各符号化データＳ１１，Ｓ１３についての情報を、制御装置７に備えられた記憶装置にファイルとして保存する。すなわち、この制御装置７は、記憶装置３に格納された各符号化データＳ１１，Ｓ１３についての情報を、制御装置７によって読み出し可能なファイルに記録して保持する情報保持手段を備えている。
【００２５】
なお、このオーサリング装置において、ビデオエンコーダ１ａと記憶装置３との間のデータ伝送路、オーディオエンコーダ２ａと記憶装置３との間のデータ伝送路、マルチプレクサ４と記憶装置３との間のデータ伝送路、再生装置５と記憶装置３との間のデータ伝送路、及び記録装置６と記憶装置３との間のデータ伝送路としては、高速なデータ伝送が可能なものが好ましく、例えば、ＳＣＳＩ規格に準拠したデータ伝送路が好適である。
【００２６】
以上のようなオーサリング装置でオーサリングを行う際は、先ず、記録用データＳ１４のもととなる映像信号Ｓ１０をビデオエンコードシステム１に供給するとともに、記録用データＳ１４のもととなる音声信号Ｓ１２をオーディオエンコードシステム２に供給する。また、記録用データＳ１４を生成するのに必要な情報、すなわち、ビデオエンコードシステム１やオーディオエンコードシステム２による符号化処理を行う上で必要な情報や、マルチプレクサ４による多重化処理を行う上で必要な情報等を、制御装置７に供給する。
【００２７】
映像信号Ｓ１０が供給されたビデオエンコードシステム１は、制御装置７による制御のもとでビデオエンコーダ１ａにより当該映像信号Ｓ１０を圧縮符号化して、その結果として生成された映像信号符号化データＳ１１を、図２の矢印Ａ１で示すように、記憶装置３の記憶領域に書き込む。このとき、制御装置７は、図３の矢印Ｂ１に示すように、ビデオエンコードシステム１に対して、エンコードの指示を出す。具体的には、制御装置７は、映像信号Ｓ１０の符号化を指示する信号と、映像信号Ｓ１０の符号化を行う上で必要な情報とを、ビデオエンコードシステム１に供給する。そして、映像信号Ｓ１０の符号化を指示する信号と、映像信号Ｓ１０の符号化を行う上で必要な情報とが制御装置７から供給されたビデオエンコードシステム１は、ビデオエンコーダ制御装置１ｂによってビデオエンコーダ１ａを制御して映像信号Ｓ１０を符号化し、生成された映像信号符号化データＳ１１を、図２の矢印Ａ１で示したように、記憶装置３の所定の記憶領域に書き込む。
【００２８】
このとき、ビデオエンコードシステム１は、映像信号Ｓ１０を符号化した結果についての情報、例えば生成した映像信号符号化データＳ１１のサイズ等についてのレポートを、図３の矢印Ｂ２に示すように、制御装置７に供給する。そして、制御装置７は、このようにビデオエンコードシステム１から受け渡されたレポートに基づいて、ビデオエンコードシステム１による符号化の結果についての情報が記録されたファイルを生成し、当該ファイルを制御装置７に備えられた記憶装置に保存する。
【００２９】
一方、音声信号Ｓ１２が供給されたオーディオエンコードシステム２は、制御装置７による制御のもとでオーディオエンコーダ２ａにより当該音声信号Ｓ１２を圧縮符号化して、その結果として生成された音声信号符号化データＳ１３を、図２の矢印Ａ２で示すように、記憶装置３の記憶領域に書き込む。このとき、制御装置７は、図３の矢印Ｂ３に示すように、オーディオエンコードシステム２に対して、エンコードの指示を出す。具体的には、制御装置７は、音声信号Ｓ１２の符号化を指示する信号と、音声信号Ｓ１２の符号化を行う上で必要な情報とを、オーディオエンコードシステム２に供給する。そして、音声信号Ｓ１２の符号化を指示する信号と、音声信号Ｓ１２の符号化を行う上で必要な情報とが制御装置７から供給されたオーディオエンコードシステム２は、オーディオエンコーダ制御装置２ｂによってオーディオエンコーダ２ａを制御して音声信号Ｓ１２を符号化し、生成された音声信号符号化データＳ１３を、図２の矢印Ａ２で示したように、記憶装置３の所定の記憶領域に書き込む。
【００３０】
このとき、オーディオエンコードシステム２は、音声信号Ｓ１２を符号化した結果についての情報、例えば生成した音声信号符号化データＳ１３のサイズ等についてのレポートを、図３の矢印Ｂ４に示すように、制御装置７に供給する。そして、制御装置７は、このようにオーディオエンコードシステム２から受け渡されたレポートに基づいて、オーディオエンコードシステム２による符号化の結果についての情報が記録されたファイルを生成し、当該ファイルを制御装置７に備えられた記憶装置に保存する。
【００３１】
そして、映像信号Ｓ１０及び音声信号Ｓ１２の符号化が完了したら、マルチプレクサ４は、制御装置７による制御のもとで、符号化データＳ１１，Ｓ１３を多重化する。このとき、マルチプレクサ４には、多重化の対象となる符号化データＳ１１，Ｓ１３についての情報が記録されたファイルが、ネットワーク８を介して制御装置７から供給される。そして、マルチプレクサ４は、制御装置７から供給されたファイルに記載された情報に基づいて、図２の矢印Ａ３に示すように、ビデオエンコードシステム１によって符号化されて記憶装置３に格納された映像信号符号化データＳ１１を読み込むとともに、図２の矢印Ａ４に示すように、オーディオエンコードシステム２によって符号化されて記憶装置３に格納された音声信号符号化データＳ１３を読み込み、それらの符号化データＳ１１，Ｓ１３に対して多重化処理を施す。そして、マルチプレクサ４は、図２の矢印Ａ５に示すように、多重化処理の結果として得られた多重化データを、ＤＶＤに記録する記録用データＳ１４として記憶装置３の所定の記憶領域に書き込む。
【００３２】
このとき、マルチプレクサ４は、映像信号符号化データＳ１１や音声信号符号化データＳ１３等が記録されていない領域に、記録用データＳ１４を書き込む。したがって、マルチプレクサ４によって多重化され生成された記録用データＳ１４を記憶装置３に書き込んでも、先に符号化されて記憶装置３に格納されていた映像信号符号化データＳ１１及び音声信号符号化データＳ１３は、そのまま記憶装置３によって保持されることとなる。これにより、後述するように、先に符号化され記憶装置３に格納された符号化データを、その後のオーサリングにおいて再利用することが可能となる。
【００３３】
その後、マルチプレクサ４によって多重化されて得られた記録用データＳ１４を再生装置５によって再生し、当該記録用データＳ１４がＤＶＤに記録する記録用データとして適切なものであるか否かを確認する。そして、当該記録用データＳ１４が、ＤＶＤに記録する記録用データとして適切なものであることが確認されたら、当該記録用データＳ１４を記録装置６によって記録媒体にダウンロードする。そして、このように記録媒体にダウンロードされた記録用データＳ１４が、マスタリング工程へと受け渡されることとなる。
【００３４】
なお、再生装置５によって再生した結果、作成された記録用データＳ１４がＤＶＤに記録する記録用データとして適切なものとなっていないことが確認されたら、記録用データＳ１４のもととなる映像信号Ｓ１０、記録用データＳ１４のもととなる音声信号Ｓ１２、又は制御装置７に入力するデータ等を修正して、記録用データＳ１４の作成をやり直す。
【００３５】
以上のようなオーサリング装置において、制御装置７は、再利用する可能性がある符号化データが失われないように、記憶装置３の記憶領域のアドレス管理を行うとともに、上述したように、ビデオエンコードシステム１やオーディオエンコードシステム２から受け渡されたレポートに基づいて、ビデオエンコードシステム１やオーディオエンコードシステム２によって符号化された符号化データＳ１１，Ｓ１３についての情報が記録されたファイルを生成し、当該ファイルを制御装置７に備えられた記憶装置に保存する。
【００３６】
ここで、ファイルには、少なくとも、記憶装置に格納された符号化データＳ１１，Ｓ１３の先頭アドレスと、当該符号化データＳ１１，Ｓ１３を生成するときの符号化条件とが記録されるとともに、エンコードシステム１，２から受け渡されたレポートに基づいて、符号化データＳ１１，Ｓ１３のサイズが記録される。なお、符号化条件としては、少なくともマルチプレクサによって多重化を行うのに必要な情報が記録される。具体的には、利用されるテレビシステムについての情報、すなわち水平走査線数、フィールド周波数及びアスペクト比等についての情報や、タイムコード情報等が記録される。
【００３７】
そして、上記オーサリング装置では、このようなファイルを生成して保存しておくことにより、記憶装置３に格納された符号化データを再利用することを可能としている。すなわち、オーサリングを行うことにより生成された符号化データを記憶装置３に格納しておくとともに、それらの符号化データの情報をファイルとして保存しておくようにする。そして、新規オーサリングにおいて、再利用したい符号化データがある場合には、当該符号化データについての情報が記録されたファイルを検索し、そのファイルに記録された情報を抽出することにより、当該符号化データの再利用が可能となる。具体的には、上記オーサリング装置において、マルチプレクサ４は制御装置７から供給されたファイルに記載された情報に基づいて多重化を行うので、マルチプレクサ４に供給するファイルを、新規に符号化して生成した符号化データについての情報が記載されたファイルではなく、先に符号化され記憶装置３に既に格納されていた符号化データについての情報が記載されたファイルとすることにより、マルチプレクサ４は、先に符号化された符号化データを多重化の対象とすることとなる。
【００３８】
このように、上記オーサリング装置では、符号化データについての情報をファイルとして管理することにより、符号化データの再利用が可能となっている。したがって、異なるオーサリングにおいて、同じ映像信号や音声信号を用いるような場合には、比較的に時間がかかる映像信号や音声信号の符号化の処理を繰り返し行う必要が無くなり、オーサリング時の時間効率が大幅に向上する。
【００３９】
なお、このような情報が記録されるファイルは、情報の種類によって複数のファイルに分割されていても良いし、一つのファイルにまとめられていてもよい。ただし、複数の映像信号や音声信号を扱う場合は、少なくとも各信号毎にファイルを作成する。
【００４０】
ところで、本発明では、一つのオーサリングにおいて多重化処理の単位が複数存在することを想定している。すなわち、本発明は、例えば、映画の予告編の部分と本編の部分とを異なる多重化処理単位として、映画の予告編の部分については符号化データを繰り返し再利用するようにし、映画の本編の部分についてだけ、各映画毎に新たに符号化データを作成するような場合に適用される。
【００４１】
そこで、制御装置７に備えられた記憶装置にファイルを保存する際は、それらのファイルが多重化処理単位でまとまるように保存した方がよい。具体的には、制御装置７に備えられた記憶装置として、ファイルをディレクトリを用いて管理できるようなものを使用し、各ファイルを多重化処理単位毎にディレクトリに分けて管理することが望ましい。
【００４２】
このようにファイルをディレクトリ毎に分けて管理した例について、図４を参照して説明する。
【００４３】
図４に示した例では、「Authoring1」というディレクトリと、「Authoring2」というディレクトリと、「Authoring3」というディレクトリとが同じ階層に作成されている。ここで、ディレクトリ「Authoring1」，「Authoring2」，「Authoring3」は、それぞれ異なるＤＶＤに記録される記録用データに対応している。すなわち、ディレクトリ「Authoring1」は第１のＤＶＤに対応し、ディレクトリ「Authoring2」は第２のＤＶＤに対応し、ディレクトリ「Authoring3」は第３のＤＶＤに対応している。
【００４４】
そして、ディレクトリ「Authoring1」の下層には、「Mux1」というディレクトリと、「Mux2」というディレクトリとが作成されている。ここで、ディレクトリ「Mux1」，「Mux2」は、第１のＤＶＤに記録されるタイトルにそれぞれ対応している。すなわち、ディレクトリ「Mux1」は第１のＤＶＤに記録される第１のタイトルに対応し、ディレクトリ「Mux2」は第１のＤＶＤに記録される第２のタイトルに対応している。なお、タイトルとは、ＤＶＤに記録されるデータの単位であり、例えば、ＤＶＤに映画を記録する場合には、通常、１つの映画が１タイトルに相当する。
【００４５】
また、ディレクトリ「Authoring2」の下層には、第２のＤＶＤに記録されるタイトルに対応して、「Mux1」というディレクトリが作成されている。また、ディレクトリ「Authoring3」の下層には、第３のＤＶＤに記録される第１のタイトルに対応して、「Mux1」というディレクトリが作成されているとともに、第３のＤＶＤに記録される第２のタイトルに対応して、「Mux2」というディレクトリが作成されている。
【００４６】
そして、ディレクトリ「Authoring1」の下層に作成されたディレクトリ「Mux1」の中には、上述したように制御装置７によって生成されたファイルとして、ファイル「Video.info」と、ファイル「Audio1.info」と、ファイル「Audio2.info」とが保存されている。
【００４７】
ここで、ファイル「Video.info」には、第１のＤＶＤに記録される第１のタイトルを構成する映像信号符号化データＶ１−１についての情報として、例えば、記憶装置３に格納された映像信号符号化データＶ１−１の先頭アドレスと、映像信号符号化データＶ１−１を生成するときの符号化条件と、映像信号符号化データＶ１−１のサイズとが記録されている。同様に、ファイル「Audio1.info」には、第１のＤＶＤに記録される第１のタイトルを構成する第１の音声信号を符号化した第１の音声信号符号化データＡ１−１についての情報として、例えば、記憶装置３に格納された第１の音声信号符号化データＡ１−１の先頭アドレスと、第１の音声信号符号化データＡ１−１を生成するときの符号化条件と、第１の音声信号符号化データＡ１−１のサイズとが記録されている。同様に、ファイル「Audio2.info」には、第１のＤＶＤに記録される第１のタイトルを構成する第２の音声信号を符号化した第２の音声信号符号化データＡ１−２についての情報として、例えば、記憶装置３に格納された第２の音声信号符号化データＡ１−２の先頭アドレスと、第２の音声信号符号化データＡ１−２を生成するときの符号化条件と、第２の音声信号符号化データＡ１−２のサイズとが記録されている。
【００４８】
そして、ディレクトリ「Authoring1」の下層に作成されたディレクトリ「Mux1」の中に保存されたファイル「Video.info」，「Audio1.info」，「Audio2.info」を、制御装置７からマルチプレクサ４に供給することにより、映像信号符号化データＶ１−１、第１の音声符号化データＡ１−１及び第２の音声符号化データＡ１−２の多重化がマルチプレクサ４によって行われ、第１のＤＶＤに記録される第１のタイトルに対応した記録用データが生成される。
【００４９】
また、ディレクトリ「Authoring1」の下層に作成されたディレクトリ「Mux2」の中には、上述したように制御装置７によって生成されたファイルとして、ファイル「Video.info」と、ファイル「Audio1.info」と、ファイル「Audio2.info」とが保存されている。
【００５０】
ここで、ファイル「Video.info」には、第１のＤＶＤに記録される第２のタイトルを構成する映像信号符号化データＶ２−１についての情報として、例えば、記憶装置３に格納された映像信号符号化データＶ２−１の先頭アドレスと、映像信号符号化データＶ２−１を生成するときの符号化条件と、映像信号符号化データＶ２−１のサイズとが記録されている。同様に、ファイル「Audio1.info」には、第１のＤＶＤに記録される第２のタイトルを構成する第１の音声信号を符号化した第１の音声信号符号化データＡ２−１についての情報として、例えば、記憶装置３に格納された第１の音声信号符号化データＡ２−１の先頭アドレスと、第１の音声信号符号化データＡ２−１を生成するときの符号化条件と、第１の音声信号符号化データＡ２−１のサイズとが記録されている。同様に、ファイル「Audio2.info」には、第１のＤＶＤに記録される第２のタイトルを構成する第２の音声信号を符号化した第２の音声信号符号化データＡ２−２についての情報として、例えば、記憶装置３に格納された第２の音声信号符号化データＡ２−２の先頭アドレスと、第２の音声信号符号化データＡ２−２を生成するときの符号化条件と、第２の音声信号符号化データＡ２−２のサイズとが記録されている。
【００５１】
そして、ディレクトリ「Authoring1」の下層に作成されたディレクトリ「Mux2」の中に保存されたファイル「Video.info」，「Audio1.info」，「Audio2.info」を、制御装置７からマルチプレクサ４に供給することにより、映像信号符号化データＶ２−１、第１の音声符号化データＡ２−１及び第２の音声符号化データＡ２−２の多重化がマルチプレクサ４によって行われ、第１のＤＶＤに記録される第２のタイトルに対応した記録用データが生成される。
【００５２】
また、ディレクトリ「Authoring2」の下層に作成されたディレクトリ「Mux1」の中には、上述したように制御装置７によって生成されたファイルとして、ファイル「Video.info」と、ファイル「Audio1.info」と、ファイル「Audio2.info」とが保存されている。
【００５３】
ここで、ファイル「Video.info」には、第２のＤＶＤに記録されるタイトルを構成する映像信号符号化データＶ３−１についての情報として、例えば、記憶装置３に格納された映像信号符号化データＶ３−１の先頭アドレスと、映像信号符号化データＶ３−１を生成するときの符号化条件と、映像信号符号化データＶ３−１のサイズとが記録されている。同様に、ファイル「Audio1.info」には、第２のＤＶＤに記録されるタイトルを構成する第１の音声信号を符号化した第１の音声信号符号化データＡ３−１についての情報として、例えば、記憶装置３に格納された第１の音声信号符号化データＡ３−１の先頭アドレスと、第１の音声信号符号化データＡ３−１を生成するときの符号化条件と、第１の音声信号符号化データＡ３−１のサイズとが記録されている。同様に、ファイル「Audio2.info」には、第２のＤＶＤに記録されるタイトルを構成する第２の音声信号を符号化した第２の音声信号符号化データＡ３−２についての情報として、例えば、記憶装置３に格納された第２の音声信号符号化データＡ３−２の先頭アドレスと、第２の音声信号符号化データＡ３−２を生成するときの符号化条件と、第２の音声信号符号化データＡ３−２のサイズとが記録されている。
【００５４】
そして、ディレクトリ「Authoring2」の下層に作成されたディレクトリ「Mux1」の中に保存されたファイル「Video.info」，「Audio1.info」，「Audio2.info」を、制御装置７からマルチプレクサ４に供給することにより、映像信号符号化データＶ３−１、第１の音声符号化データＡ３−１及び第２の音声符号化データＡ３−２の多重化がマルチプレクサ４によって行われ、第２のＤＶＤに記録されるタイトルに対応した記録用データが生成される。
【００５５】
また、ディレクトリ「Authoring3」の下層に作成されたディレクトリ「Mux1」の中には、上述したように制御装置７によって生成されたファイルとして、ファイル「Video.info」と、ファイル「Audio1.info」と、ファイル「Audio2.info」とが保存されている。
【００５６】
ここで、ファイル「Video.info」は、ディレクトリ「Authoring2」の下層に作成されたディレクトリ「Mux1」の中に保存されていたファイル「Video.info」をコピーしたものである。すなわち、このファイル「Video.info」には、第３のＤＶＤに記録されるタイトルを構成する映像信号符号化データについての情報として、記憶装置３に格納された映像信号符号化データＶ３−１の先頭アドレスと、映像信号符号化データＶ３−１を生成するときの符号化条件と、映像信号符号化データＶ３−１のサイズとが記録されている。したがって、第３のＤＶＤに記録されるタイトルを構成する映像信号符号化データとして、第２のＤＶＤに記録されるタイトルを構成する映像信号符号化データＶ３−１を流用することとなる。すなわち、図４に示した例では、第３のＤＶＤに記録されるタイトルを構成する映像信号符号化データの符号化が不要となっている。
【００５７】
一方、ディレクトリ「Authoring3」の下層に作成されたディレクトリ「Mux1」の中に保存されたファイル「Audio1.info」には、第３のＤＶＤに記録されるタイトルを構成する第１の音声信号を符号化した第１の音声信号符号化データＡ４−１についての情報として、例えば、記憶装置３に格納された第１の音声信号符号化データＡ４−１の先頭アドレスと、第１の音声信号符号化データＡ４−１を生成するときの符号化条件と、第１の音声信号符号化データＡ４−１のサイズとが記録されている。同様に、ファイル「Audio2.info」には、第３のＤＶＤに記録されるタイトルを構成する第２の音声信号を符号化した第２の音声信号符号化データＡ４−２についての情報として、例えば、記憶装置３に格納された第２の音声信号符号化データＡ４−２の先頭アドレスと、第２の音声信号符号化データＡ４−２を生成するときの符号化条件と、第２の音声信号符号化データＡ４−２のサイズとが記録されている。
【００５８】
そして、ディレクトリ「Authoring3」の下層に作成されたディレクトリ「Mux1」の中に保存されたファイル「Video.info」，「Audio1.info」，「Audio2.info」を、制御装置７からマルチプレクサ４に供給することにより、映像信号符号化データＶ３−１、第１の音声符号化データＡ４−１及び第２の音声符号化データＡ４−２の多重化がマルチプレクサ４によって行われ、第３のＤＶＤに記録されるタイトルに対応した記録用データが生成される。
【００５９】
以上のように、符号化データについての情報をディレクトリ毎にファイルで管理することにより、過去のオーサリングで作成した符号化データを、新規に行うオーサリングに流用することが非常に簡単に行うことができる。すなわち、新規にオーサリングを行う際に、過去のオーサリングで作成した符号化データを流用し多重化を行いたいときには、新規にオーサリングするタイトルに対応したディレクトリに、再利用したい符号化データについての情報が記録されたファイルをコピーしてくればよい。換言すれば、符号化の作業が、単なるファイルコピーの作業に置き換わることとなる。これにより、符号化を繰り返し行う必要が無くなり、オーサリング時の時間効率が大幅に向上する。
【００６０】
なお、上記オーサリング装置において、オーサリングの対象となる映像や音声の種類は、特に限定されるものではなく、例えば、映画、音楽ビデオ、教則ビデオ等を含むあらゆる種類の映像ソースがオーサリングの対象となりうる。
【００６１】
また、上記オーサリング装置では、光ディスクの一つとして実用化されているＤＶＤに記録する記録用データを作成するものとしたが、本発明において、最終的に記録される記録媒体の種類は、デジタル記録が可能な記録媒体であるならば、特に限定されるものではない。すなわち、本発明を適用して生成された記録用データが記録される記録媒体としては、ＤＶＤ以外の光ディスクも使用可能であるし、また、光磁気ディスク、磁気ディスク、磁気テープ等も使用可能である。
【００６２】
【発明の効果】
以上の説明から明らかなように、本発明では、先に生成した符号化データについての情報を、制御手段によって読み出し可能な１以上のファイルに記録するようにしている。したがって、これらのファイルを必要に応じて読み出すことにより、既に符号化されている符号化データを再利用することが可能となる。
【００６３】
すなわち、本発明によれば、先に行われたオーサリングにおいて生成した符号化データを、別のオーサリングで再利用することが可能となり、オーサリングを非常に効率良く行うことが可能となる。
【図面の簡単な説明】
【図１】本発明を適用したオーサリング装置の一構成例を示す図である。
【図２】ビデオエンコーダ、オーディオエンコーダ及びマルチプレクサの記憶装置へのアクセスの概念を示す図である。
【図３】制御装置とビデオエンコードシステム及びオーディオエンコードシステムとのやり取りの概念を示す図である。
【図４】符号化データの再利用の概念を示す図である。
【符号の説明】
１  ビデオエンコードシステム、  １ａ  ビデオエンコーダ、  １ｂ  ビデオエンコーダ制御装置、  ２  オーディオエンコードシステム、  ２ａ  オーディオエンコーダ、  ２ｂ  オーディオエンコーダ制御装置、  ３  記憶装置、  ４マルチプレクサ、  ５  再生装置、  ６  記録装置、  ７  制御装置
【図１】
0003928208.tif 000002
【図２】
0003928208.tif 000003
【図３】
0003928208.tif 000004
【図４】
0003928208.tif 000005